【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
供給手段によって繊維分類デバイスに供給される織物繊維を含む、繊維束を繊維分類又は繊維選択するための装置であって、
前記繊維束をその自由端からある距離で挟持する挟持デバイスが備えられ、非挟持成分を前記繊維束の自由端からほぐして摘出するために、挟持部位から前記繊維束の自由端にコーミング作用を生成する機械的手段が存在し、前記供給された繊維材料を移送するために、挟持要素が存在する装置において、
前記供給手段（８；１０、１１、２７ａ、２７ｂ、２８ａ、２８ｂ）の下流に、中断なしに回転する少なくとも２つの回転可能に装着されるローラ（１２；１３）が配置され、該ローラが、順番に搬送される前記繊維束（１６；３０1〜３０3）用の挟持デバイス（１８、１９、２０；２１、２２、２３）を備え、該挟持デバイスが少なくとも一つの前記ローラの周縁領域に離間して分布し、コーミング作用を生成するためのコーミング要素が、少なくとも一つの前記ローラ（１３）と関連付けられ、前記供給された繊維束（３０1、３０2）の吸引のために、少なくとも一つの吸引デバイス（５２、５６）が、前記供給手段（８；１０、１１、２７ａ、２７ｂ、２８ａ、２８ｂ）から前記第１ローラ（１２）までの前記繊維束（３０1）の移送領域の、及び／又は前記第１ローラ（１２）から前記第２ローラ（１３）までの前記繊維材料（３０2）の移送領域の前記挟持デバイス（１８、１９、２０；２１、２２、２３）と関連付けられることを特徴とする装置。
【請求項２】
前記挟持デバイスによって挟持する前の移送時に、吸引空気流が前記供給された繊維束に作用することを特徴とする、請求項１に記載の装置。
【請求項３】
前記吸引空気流が、供給されるべき及び巻き取られるべき前記繊維束の整列と移動とに影響を及ぼすことを特徴とする、請求項１又は２に記載の装置。
【請求項４】
前記繊維束の自由領域を挟持した後で、前記挟持された端部の挟持が、終端と成るように配置されることを特徴とする、請求項１に記載の装置。
【請求項５】
少なくとも一つの送風開口部が、供給デバイスから前記第１ローラの前記繊維束の吐出領域に、及び／又は前記第１ローラから前記第２ローラの前記繊維材料の吐出領域に備えられることを特徴とする、請求項１から４のいずれか一項に記載の装置。
【請求項６】
送風デバイスが前記供給手段と関連付けられることを特徴とする、請求項１から５のいずれか一項に記載の装置。
【請求項７】
前記繊維材料の吸引のために、前記吸引デバイスの開口部が、前記供給デバイスの領域の前記第１ローラに配置されることを特徴とする、請求項１から６のいずれか一項に記載の装置。
【請求項８】
前記繊維材料の吸引のために前記吸引デバイスの開口部が、前記第１ローラと前記第２ローラとの間で前記繊維材料の移送領域の前記第２ローラに配置されることを特徴とする、請求項１又は７に記載の装置。
【請求項９】
前記吸引デバイスが、吸引チャネルの構造であることを特徴とする、請求項１から８のいずれか一項に記載の装置。
【請求項１０】
前記吸引チャネルが、吸引開口部を備える開放端部を有することを特徴とする、請求項９に記載の装置。
【請求項１１】
前記吸引チャネルが、負圧領域と接続される別の端部を有することを特徴とする、請求項９から１０のいずれか一項に記載の装置。
【請求項１２】
前記吸引チャネルが、前記第１ローラの内側に及び／又は前記第２ローラの内側に配置されることを特徴とする、請求項９から１１のいずれか一項に記載の装置。
【請求項１３】
前記吸引チャネルが、前記第１ローラと及び／又は前記第２ローラと共に回転することを特徴とする、請求項９から１２のいずれか一項に記載の装置。
【請求項１４】
少なくとも一つの吸引チャネルが、各ニッパデバイス（上方ニッパ、下方ニッパ）に関連付けられることを特徴とする、請求項９から１３のいずれか一項に記載の装置。
【請求項１５】
前記吸引チャネルが、把持要素（上方ニッパ）と対向要素（下方ニッパ）とのほぼ間に配置されることを特徴とする、請求項９から１４のいずれか一項に記載の装置。
【請求項１６】
減圧領域が、前記第１ローラの及び／又は前記第２ローラの内部にあることを特徴とする、請求項９から１５のいずれか一項に記載の装置。
【請求項１７】
前記吸引チャネルが、前記減圧領域に接続されることを特徴とする、請求項１６に記載の装置。
【請求項１８】
前記減圧領域が、吸引源に接続されることを特徴とする、請求項１６または１７に記載の装置。
【請求項１９】
前記減圧領域と前記吸引チャネルとの間の個別の吸引チャネルでの吸引流は、前記吸引流が前記ローラの周縁の、特定の調整可能な所定の角度位置にのみ適用されるように調整が可能であることを特徴とする、請求項１６から１８のいずれか一項に記載の装置。
【請求項２０】
バルブが、所定の角度位置の調整のために備えられることを特徴とする、請求項１から１９のいずれか一項に記載の装置。
【請求項２１】
調整のために開口部を備えるファンが、所定の角度位置に備えられることを特徴とする、請求項１から２０のいずれか一項に記載の装置。
【請求項２２】
前記吸引流の開放が、前記把持要素（上方ニッパ）の運動によって行うことが出来ることを特徴とする、請求項１から２１のいずれか一項に記載の装置。
【請求項２３】
減圧領域が、前記所定の角度位置にのみ配置されることを特徴とする、請求項２１に記載の装置。
【請求項２４】
送風空気流が、前記供給デバイスの領域に備えられることを特徴とする、請求項１から２３のいずれか一項に記載の装置。
【請求項２５】
送風空気流が、前記第１ローラと前記第２ローラとの間の移送領域に備えられることを特徴とする、請求項１から２４のいずれか一項に記載の装置。
【請求項２６】
前記供給デバイスの領域で、前記送風空気流を発生するための要素が、前記供給デバイスの直下に及び／又は直上に固定して配置されることを特徴とする、請求項１から２５のいずれか一項に記載の装置。
【請求項２７】
送風空気源が、前記供給デバイスの内側に配置されることを特徴とする、請求項１から２６のいずれか一項に記載の装置。
【請求項２８】
前記送風空気流が、前記供給デバイスの空気透過性表面を介して又は空気通過開口部を介して、前記第１ローラの方向に流れることを特徴とする、請求項２４または２５に記載の装置。
【請求項２９】
空気流源が、各ニッパデバイスの直下で及び／又は直上で、前記第１ローラと前記第２ローラとの間の移送領域に配置されることを特徴とする、請求項１から２８のいずれか一項に記載の装置。
【請求項３０】
前記供給デバイスと前記第１ローラとの間で、スクリーン要素が前記繊維材料の上方に配置されることを特徴とする、請求項１から２９のいずれか一項に記載の装置。
【請求項３１】
前記供給デバイスと前記第１ローラとの間で、それぞれのスクリーン要素が前記繊維材料の横方向に配置されることを特徴とする、請求項３０に記載の装置。
【請求項３２】
空気流のための空気案内要素があることを特徴とする、請求項１から３１のいずれか一項に記載の装置。
【請求項３３】
前記少なくとも二つの回転可能に装着されるローラ（１２、１３）が、少なくとも一つの旋回ロータと少なくとも一つのコーミングロータとを包含することを特徴とする、請求項１から３２のいずれか一項に記載の装置。
【請求項３４】
前記旋回ロータ（１２）と前記コーミングロータ（１３）とが、反対方向の回転（それぞれ１２ａと１３ａ）を有することを特徴とする、請求項３３に記載の装置。
【請求項３５】
前記供給された繊維束（３０1、３０2）の吸引を支援するために、少なくとも一つの送風デバイスが、前記供給デバイス（８；１０、１１、２７ａ、２７ｂ、２８ａ、２８ｂ）から前記第１ローラ（１２）への前記繊維束（３０1）の移送領域で、及び／又は前記第１ローラ（１２）から前記第２ローラ（１３）への前記繊維材料（３０2）の移送領域で、挟持デバイス（１８、１９、２０；２１、２２、２３）と関連付けられることを特徴とする、請求項１から３４のいずれか一項に記載の装置。